(57)【要約】      （修正有）【課題】電子機器において、操作体の動作不良や意匠効果の低下を防止する。【解決手段】操作体５は、操作パネル３の前面側において、所定間隔をおいて複数配置され、操作パネルは、複数の操作体が貫通する複数の操作パネル貫通孔６を有し、背面パネル１は、複数の操作パネル貫通孔に対向する部分に、複数の背面パネル貫通孔７を有し、この背面パネル貫通孔の後方部分には、操作体の後端側に設けた係合部８を、前方側と、後方側の少なくとも２箇所で係合する被係合部９を設け、操作体の係合部よりも前方側には、操作パネルに設けた操作パネル貫通孔の外方側辺、また内方側辺に当接する当接部１０を設けた。【選択図】図２
2013128035.tif 000002
【特許請求の範囲】
【請求項１】
背面パネルと、この背面パネルの前面側に接着体で固定された操作パネルと、この操作パネルと背面パネルを貫通して配置され、前記操作パネルの前面側から操作される操作体とを備え、前記操作体は、操作パネルの前面側において、所定間隔をおいて複数配置され、前記操作パネルは、前記複数の操作体が貫通する複数の操作パネル貫通孔を有し、前記背面パネルは、前記複数の操作パネル貫通孔に対向する部分に、複数の背面パネル貫通孔を有し、この背面パネル貫通孔の後方部分には、前記操作体の後端側に設けた係合部を、前方側と、後方側の少なくとも２箇所で係合する被係合部を設け、前記操作体の係合部よりも前方側には、前記操作パネルに設けた操作パネル貫通孔の外方側辺、また内方側辺に当接する当接部を設けた電子機器。
【請求項２】
接着体は両面テープによって構成した請求項１に記載の電子機器。
【請求項３】
操作体の後端側に設けた係合部は、背面パネル貫通孔の後方部分に設けた被係合部に向けて突出した突起状とした請求項１または２に記載の電子機器。
【請求項４】
背面パネル貫通孔の後方部分に設けた被係合部は、操作体の後端側に設けた係合部に向けて突出した突起状とした請求項３に記載の電子機器。
【請求項５】
操作体の後端側に設けた突起状の係合部は、背面パネル貫通孔の後方部分に設けた突起状の被係合部の後方側に係合した際には、この操作体の前方引き出し不可状態とする請求項４に記載の電子機器。
【発明の詳細な説明】
【技術分野】
【０００１】
本発明は、オーディオ装置などの電子機器に関するものである。
【背景技術】
【０００２】
従来のオーディオ装置などの電子機器は、背面パネルと、この背面パネルの前面側に接着体で固定された操作パネルと、この操作パネと背面パネルを貫通して配置され、前記操作パネルの前面側から操作される操作体とを備えた構成となっていた（例えば下記特許文献１）。
【０００３】
すなわち、操作体を押せば、背面パネルの後方に配置されたスイッチなどが操作され、それによって各種の動作を実行することが出来るようになっていたのである。
【先行技術文献】
【特許文献】
【０００４】
【特許文献１】特開２００８−１９２３２５号公報
【発明の概要】
【発明が解決しようとする課題】
【０００５】
上記従来例において、前記操作体は、操作パネルの前面側において、所定間隔をおいて複数配置されているので、前記操作パネルには、前記複数の操作体が貫通する複数の操作パネル貫通孔を設けている。
【０００６】
また、前記背面パネルには、前記複数の操作パネル貫通孔に対向する部分に、複数の背面パネル貫通孔を設けている。
この状態で、重要なことは、操作パネルの複数の操作パネル貫通孔と、背面パネルの複数の背面パネル貫通孔を前面側から見た状態で合致させることである。
【０００７】
すなわち、これら複数の操作パネル貫通孔と、複数の背面パネル貫通孔には、上述のごとく、それぞれ操作体が貫通するので、これらの操作パネル貫通孔と、背面パネルの背面パネル貫通孔が前面側から見た状態で合致していないと、操作体の装着が出来なくなったり、操作体の操作不良状態となったりする。
【０００８】
そこで、操作パネル貫通孔と、背面パネル貫通孔が前面側から見た状態で合致するように、背面パネルの前面側に操作パネルを固定することになるのであるが、操作パネル貫通孔と、背面パネル貫通孔はいずれも複数個配置されているので、全ての操作パネル貫通孔と、背面パネル貫通孔を合致することは極めて難しく、その結果として操作体が操作パネル貫通孔や、背面パネル貫通孔に当接し、動作不良を起こすことがある。
【０００９】
また、この動作不良を避けるためには、操作パネル貫通孔と、背面パネル貫通孔を操作体に対して大きくすることも考えられるが、そのようにすると、操作パネルにおける意匠効果が低下してしまう。
【００１０】
そこで本発明は、操作体の動作不良や意匠効果の低下を防止することを目的とする。
【課題を解決するための手段】
【００１１】
そして、この目的を達成するために本発明は、背面パネルと、この背面パネルの前面側に接着体で固定された操作パネルと、この操作パネルと背面パネルを貫通して配置され、
前記操作パネルの前面側から操作される操作体とを備え、前記操作体は、操作パネルの前面側において、所定間隔をおいて複数配置され、前記操作パネルは、前記複数の操作体が貫通する複数の操作パネル貫通孔を有し、前記背面パネルは、前記複数の操作パネル貫通孔に対向する部分に、複数の背面パネル貫通孔を有し、この背面パネル貫通孔の後方部分には、前記操作体の後端側に設けた係合部を、前方側と、後方側の少なくとも２箇所で係合する被係合部を設け、前記操作体の係合部よりも前方側には、前記操作パネルに設けた操作パネル貫通孔の外方側辺、また内方側辺に当接する当接部を設け、これにより所期の目的を達成するものである。
【発明の効果】
【００１２】
以上のように、本発明は、背面パネルと、この背面パネルの前面側に接着体で固定された操作パネルと、この操作パネルと背面パネルを貫通して配置され、前記操作パネルの前面側から操作される操作体とを備え、前記操作体は、操作パネルの前面側において、所定間隔をおいて複数配置され、前記操作パネルは、前記複数の操作体が貫通する複数の操作パネル貫通孔を有し、前記背面パネルは、前記複数の操作パネル貫通孔に対向する部分に、複数の背面パネル貫通孔を有し、この背面パネル貫通孔の後方部分には、前記操作体の後端側に設けた係合部を、前方側と、後方側の少なくとも２箇所で係合する被係合部を設け、前記操作体の係合部よりも前方側には、前記操作パネルに設けた操作パネル貫通孔の外方側辺、また内方側辺に当接する当接部を設けたものであるので、操作体の動作不良や意匠効果の低下を防止することが出来る。
【００１３】
すなわち、本発明においては、前記操作パネルは、前記複数の操作体が貫通する複数の操作パネル貫通孔を有し、前記背面パネルは、前記複数の操作パネル貫通孔に対向する部分に、複数の背面パネル貫通孔を有し、この背面パネル貫通孔の後方部分には、前記操作体の後端側に設けた係合部を、前方側と、後方側の少なくとも２箇所で係合する被係合部を設け、前記操作体の係合部よりも前方側には、前記操作パネルに設けた操作パネル貫通孔の外方側辺、また内方側辺に当接する当接部を設けたものであるので、背面パネル前面側への操作パネル実装時には、操作体の係合部を、背面パネル貫通孔の被係合部前方側に係合させた状態とする。
【００１４】
すると、このときには、操作体が前方側に突出した状態となり、この状態で、操作体の係合部よりも前方側に設けた当接部に、前記操作パネルに設けた操作パネル貫通孔の外方側辺、また内方側辺に当接させた状態で、操作パネルを背面パネル側に押すと、この操作体を位置規制具として活用することが出来、その結果として操作パネルを背面パネルに極めて簡単に取り付けることが出来る。
【００１５】
また、この状態では、操作パネルと背面パネルの位置関係が適切な状態となっているので、複数の操作パネル貫通孔と複数の背面パネル貫通孔も合致した状態となっており、その結果として操作体の動作不良や意匠効果の低下を防止することが出来る。
【００１６】
なお、操作体は、このような操作パネルの背面パネルへの取り付け後には、後方に押し込むことにより、背面パネル貫通孔の被係合部の後方側に係合し、その係合部が係合するので、前方への不用意な抜け出しも発生しない。
【図面の簡単な説明】
【００１７】
【図１】本発明の一実施形態における電子機器を示す斜視図
【図２】同電子機器の分解斜視図
【図３】図１のＡ−Ａ線断面図
【図４】図１のＡ−Ａ線断面図
【図５】図１のＢ−Ｂ線断面図
【図６】図１のＢ−Ｂ線断面図
【発明を実施するための形態】
【００１８】
以下、本発明の実施の形態を添付図面を用いて説明する。
【００１９】
（実施の形態１）
図１、図２において、１は、横長長方形状の背面パネルで、この背面パネルの前面側には、接着体として用いた両面テープ２で操作パネル３が接着固定されている。
【００２０】
操作パネル３は横長長方形状の透明板によって構成されているので、背面パネル１の中央部に配置された表示部４の表示内容は、この操作パネル３を介して目視可能な状態となっている。
【００２１】
また、前記操作パネル３と背面パネル１を貫通して、前記操作パネル３の前面側から操作される複数の操作体５が設けられている。
【００２２】
前記操作体５は、図１に示すように操作パネル３の前面側において、所定間隔をおいて複数配置され、前記操作パネル３には、図２に示すごとく、前記複数の操作体５が貫通する複数の操作パネル貫通孔６が設けられている。
【００２３】
また、前記背面パネル１にも、前記複数の操作パネル貫通孔６に対向する部分に、複数の背面パネル貫通孔７が設けられている。
【００２４】
この背面パネル貫通孔７の後方部分には、図２、図５、図６から理解されるように、前記操作体５の後端側に設けた係合部８を、前方側と、後方側の少なくとも２箇所で係合する被係合部９を設けている。
【００２５】
具体的には、操作体５の後端側に設けた係合部８は、図５、図６から理解されるように背面パネル貫通孔７の後方部分に設けた被係合部９に向けて突出した突起状としている。
【００２６】
また、背面パネル貫通孔７の後方部分に設けた被係合部９は、操作体５の後端側に設けた係合部８に向けて突出した突起状としている。
【００２７】
以上の構成において、図２の状態から背面パネル１の前面側に操作パネル３を取り付ける手順について説明する。
【００２８】
先ず、操作パネル３の背面側に両面テープ２を貼付する。
【００２９】
次に、背面パネル１の背面パネル貫通孔７に、操作体５の後方側を図３、図５に示す状態で挿入する。
【００３０】
つまり、操作体５の後端側に設けた係合部８を、背面パネル貫通孔７に設けた被係合部９の前方側に係合させる。
【００３１】
その後、図４、図６に示すように、操作パネル３を操作体５にそって背面パネル１側へと押していく。
【００３２】
すなわち、このときには、操作体５が前方側に突出した状態となり、この状態で、操作体５の係合部８よりも前方側に設けた当接部１０に、前記操作パネル貫通孔６の外方側辺（図４は図１の左側の操作体５を示しているので、左方外方側辺、図６では図１の左側の
操作体５を示しているので、上方外方側辺）を当接させた状態で、操作パネル３を背面パネル１側に押すと、この操作体５を位置規制具として活用することが出来、その結果として操作パネル３を背面パネル１に極めて簡単に取り付けることが出来る。
【００３３】
そして、図４、図６に示す状態になると、操作パネル３は背面パネル１に両面テープ２で接着固定されることになる。
【００３４】
また、この状態では、操作パネル３と背面パネル１の位置関係が適切な状態となっているので、複数の操作パネル貫通孔６と複数の背面パネル貫通孔７も合致した状態となっており、その結果として操作体５の動作不良や意匠効果の低下を防止することが出来る。
【００３５】
なお、操作体５は、このような操作パネル３の背面パネル１への取り付け後には、後方に押し込むことにより、その係合部８が背面パネル貫通孔７の被係合部９を乗り越えて、その後方側に係合し、前方への不用意な抜け出しも発生しない。
【００３６】
なお、上記実施形態においては、操作体５の当接部１０に、前記操作パネル貫通孔６の外方側辺（図４は図１の左側の操作体５を示しているので、左方外方側辺、図６では図１の左側の操作体５を示しているので、上方外方側辺）を当接させたが、内方側辺に当接させた状態でも、同様な効果が期待できる。
【産業上の利用可能性】
【００３７】
以上のように本発明においては、前記操作パネルは、前記複数の操作体が貫通する複数の操作パネル貫通孔を有し、前記背面パネルは、前記複数の操作パネル貫通孔に対向する部分に、複数の背面パネル貫通孔を有し、この背面パネル貫通孔の後方部分には、前記操作体の後端側に設けた係合部を、前方側と、後方側の少なくとも２箇所で係合する被係合部を設け、前記操作体の係合部よりも前方側には、前記操作パネルに設けた操作パネル貫通孔の外方側辺、また内方側辺に当接する当接部を設けたものであるので、背面パネル前面側への操作パネル実装時には、操作体の係合部を、背面パネル貫通孔の被係合部前方側に係合させた状態とする。
【００３８】
すると、このときには、操作体が前方側に突出した状態となり、この状態で、操作体の係合部よりも前方側に設けた当接部に、前記操作パネルに設けた操作パネル貫通孔の外方側辺、また内方側辺に当接させた状態で、操作パネルを背面パネル側に押すと、この操作体を位置規制具として活用することが出来、その結果として操作パネルを背面パネルに極めて簡単に取り付けることが出来る。
【００３９】
また、この状態では、操作パネルと背面パネルの位置関係が適切な状態となっているので、複数の操作パネル貫通孔と複数の背面パネル貫通孔も合致した状態となっており、その結果として操作体の動作不良や意匠効果の低下を防止することが出来る。
【００４０】
なお、操作体は、このような操作パネルの背面パネルへの取り付け後には、後方に押し込むことにより、背面パネル貫通孔の被係合部の後方側に係合し、その係合部が係合するので、前方への不用意な抜け出しも発生しない。
したがって、家庭用や車載用の電子機器としての活用が期待される。
【符号の説明】
【００４１】
１  背面パネル
２  両面テープ
３  操作パネル
４  表示部
５  操作体
６  操作パネル貫通孔
７  背面パネル貫通孔
８  係合部
９  被係合部
１０  当接部
【図１】
2013128035.tif 000003
【図２】
2013128035.tif 000004
【図３】
2013128035.tif 000005
【図４】
2013128035.tif 000006
【図５】
2013128035.tif 000007
【図６】
2013128035.tif 000008